(57)【要約】      （修正有）【課題】電磁用トッププレートの裏面にガラス質発泡体を設ける事により、鍋底からの輻射熱と伝導熱を同時に遮断し、断熱性を向上させた電磁用トッププレートを提供する。【解決手段】電磁用トッププレート１の裏面に、珪酸カルシュウムと珪酸ソーダを主原料とし、炭酸ガス発泡による独立気泡９を形成させ断熱遮蔽性を高め、さらにその表面を凹凸構造１０，１１にして表面積を拡張し放熱効率を向上さす事で、輻射熱と伝導熱を大幅に低減するガラス発泡体２を有する二層構造の電磁用トッププレートとする。【選択図】図２
0003160142.tif 000002
【実用新案登録請求の範囲】
【請求項１】
輻射熱や熱伝導を抑制する為の、ガラス質発泡体をトッププレートの裏面に設けた、断熱性に特化した二層構造の電磁用トッププレート。
【請求項２】
ガラス質発泡体の表面を凹凸構造に形成し、表面積を拡張する事でファンによる強制空冷を、より効果的に吸収し断熱性を高めた二層構造の電磁用トッププレート。
【考案の詳細な説明】
【技術分野】
【０００１】本考案は、電磁用トッププレートの裏面にガラス質発泡体を設ける事により、輻射熱と伝導熱を同時に遮断し、断熱性を向上させた電磁用トッププレート。
【背景技術】
【０００２】従来の電磁用トッププレートは、耐熱ガラス或いはセラミック製で製作された単体構造で、耐熱性は優れているものの、それ自体の放熱や断熱には効果が乏しく、加熱容量の大きな電磁調理器等では、鍋底からの輻射熱や熱伝導が大きい為、強制ファンによる冷却のみでは十分に発熱コイルの温度上昇を抑制する事が出来なかった。その事は、温度上昇が進むと発熱コイルの絶縁皮膜を熱破壊に導き、電磁調理器の破損の原因に成っていた。
【考案の開示】
【考案が解決しようとする課題】
【０００３】そこで、従来のトッププレートの裏面にガラス質の発泡体を形成させ、その表面を凹凸形状にする事で、表面積を拡張し放熱効率を高めると共に、独立気泡による断熱効果でトッププレートに蓄積する熱を抑止する、ガラス発泡体を有する二層構造の電磁用トッププレートが本考案によって創案された。【０００４】本考案は、以下の（ａ）〜（ｂ）を目的とする。
（ａ）本考案は、電磁用トッププレートの裏面に、珪酸カルシュウムと珪酸ソウダを主原料とする、ガラス質発泡体を形成さす事で断熱遮蔽性を向上させた、二層構造の電磁用トッププレートを提供する事、を目的とする。
（ｂ）本考案は、ガラス質発泡体の表面に凹凸構造を形成さす事で、表面積を拡張し冷却ファンによる強制空冷をより効果的に吸収させ、放熱効果を高めた二層構造の電磁用トッププレートを提供する事、を目的にする。
【課題を解決する為の手段】
【０００５】上記課題を解決する為には、電磁用トッププレートの裏面に、珪酸カルシュウムと珪酸ソーダを主原料とし、炭酸ガス発泡による独立気泡を形成させ断熱遮蔽性を高め、さらにその表面を凹凸構造にして、表面積を拡張し放熱効率を向上さす事で、輻射熱と伝導熱を大幅に低減する事が出来る事を特徴とする。
【考案の効果】
【０００６】請求項１に係わる考案は、珪酸カルシュウムと珪酸ソウダを主原料とした化合物を混合する事で炭酸ガスを発生させ、固形化する際にその気泡を独立気泡として残存させ多孔質の構造物とし、トッププレートの裏面に焼成させる事で、独立気泡による空気断熱機能を付加した二層構造の電磁用トッププレートとする。
【０００７】請求項２に係わる考案は、ガラス質発泡体の表面を凹凸構造にする事で、表面積を拡張し冷却ファンによる強制冷却を効果的に吸収し、放熱効果をより高める構造のものとする。
【考案を実施するための最良の形態】
【０００８】電磁用トッププレートの裏面に、珪酸カルシュウムと珪酸ソウダを主原料にした化合物を混合すると、裏面上で化学反応が起こり発泡体が形成される。その際の発泡体は、固形化する際に物体内部に独立気泡をもたらし、空気断熱効果を付加しトッププレートに蓄積する伝導熱を容易に遮断する事が可能となる。【０００９】さらにガラス質発泡体の表面を凹凸構造に形成さす事で、表面積を拡張する事が出来る為、冷却ファンによる強制冷気がよりガラス質発泡体に接触し、独立発泡体に蓄積される伝導熱を放散し、放熱効果による断熱効果が得られる。
【実施例１】この考案の実施例を図１、図２、図３、に示す。先ず、図１のガラス質発泡体を有する二層構造の電磁用トッププレートの概要について述べる。【００１０】図１は、励磁コイル３の上部に調理器具をのせる為に、ガラス製或いはセラミック製のトッププレート１が配置され、さらにトッププレート１の裏面には、珪酸カルシュウムと珪酸ソーダを主原料としたガラス質発泡体２が溶着され一体化された構造で形成されている。【００１１】励磁コイル３の下には、冷却用の冷却ファン５と高周波発生用のインバータを構成する、インバータユニット４が配置される。また、トッププレート１には直接トッププレート１の温度を検知して制御する、温度センサー６が取り付けられている。【００１２】冷却ファン５から発生する冷却風７は、励磁コイル３やインバータユニット４を効率よく冷やす様に筐体８の中を流れる。【００１３】図２は、トッププレート１とガラス質発泡体２の積層関係を示す断面図である。【００１４】トッププレート１の裏面に、珪酸カルシュウムと珪酸ソーダを主原料としたガラス質発泡体２が溶着され一体化された構造で形成されている。【００１５】ガラス質発泡体２の内面は、珪酸カルシュウムと珪酸ソーダを主原料とした物質を化合する際、炭酸ガスが発生するが化学反応が終焉すると、ガラス質発泡体２の内部には、多くの独立気泡９が残存して存在する。【００１６】独立気泡９の孔の中は、断熱効果に最も効果的な空気が存在し、互いに連鎖しないで分散している。その事は、伝導熱を遮断する有効な手段につながる。【００１７】さらに、ガラス質発泡体２の表面に凹凸加工を施してある為、ガラス質発泡体２の表面積が拡張され、熱放散が容易くなる構造を形成している。【００１８】図３は、ガラス質発泡体２の表面の形状を説明する為の、凹凸形状を示す説明図である。【００１９】トッププレート１の裏面には、凹凸加工を施したガラス質発泡体２が整然と形成されていて、冷却ファン５から送られる冷却風７があたれば、ガラス質発泡体２が蓄積する伝導熱を、その表面から有効に放散し効率的に放熱してくれる。【００２０】ガラス質発泡体２の中央に開いた穴はセンサー穴で、トッププレート１の裏面に温度センサー６が、直接触れるように設けられている。【００２１】温度センサー６が直接トッププレート１に接触しない場合、鍋底の温度が直に伝わらないで異常発熱を感知し難くなるが、ガラス質発泡体２を開口する事で問題を解決する事が出来る。
【図面の簡単な説明】
【００２２】
【図１】ガラス発泡体を有する二層構造の電磁用トッププレート実施形態図
【図２】積層関係を示す断面図
【図３】凹凸形状を示す説明図
【符号の説明】
【００２３】  １トッププレート
２ガラス質発泡体
３励磁コイル
４インバータユニット
５冷却ファン
６温度センサー
７冷却風
８筐体
９独立気泡
１０凹部
１１凸部
１２温度センサー穴
【図１】
0003160142.tif 000003
【図２】
0003160142.tif 000004
【図３】
0003160142.tif 000005
【手続補正書】
【提出日】平成22年3月8日(2010.3.8)
【手続補正１】
【補正対象書類名】実用新案登録請求の範囲
【補正対象項目名】請求項２
【補正方法】変更
【補正の内容】
【請求項２】
ガラス質発泡体の表面を凹凸構造に形成し、表面積を拡張する事でファンによる強制空冷を、より効果的に吸収し断熱性を高めた事を特徴とする請求項１記載の、二層構造の電磁用トッププレート。